【手続補正書】
【提出日】平成18年7月18日(2006.7.18)
【手続補正１】
【補正対象書類名】特許請求の範囲
【補正対象項目名】全文
【補正方法】変更
【補正の内容】
【特許請求の範囲】
【請求項１】
インク液を噴射し画像形成媒体に対して画像形成を行うインクヘッドと、前記インクヘッドに隣接して収納され、前記インクヘッドに対してメンテナンス動作を行うメンテナンス機構と、前記画像形成媒体を載置して前記インクヘッドの下方で搬送する搬送機構と、を少なくとも有する画像形成装置において、
当該画像形成装置の電源遮断の操作指示を行うためのスイッチと、
前記スイッチによる前記電源遮断の操作指示を検出すると、前記インクヘッドと、前記メンテナンス機構との鉛直方向における隙間を、少なくとも前記インクヘッドに隣接した位置で可変させる上下移動駆動部と、
前記メンテナンス機構を前記インクヘッドの下方で水平移動させ、前記メンテナンス機構が備えるインク受滴容器を前記インクヘッドに対向させる水平移動駆動部と、
前記インク受滴容器が前記インクヘッドに対向し、前記インク受滴容器が前記インクヘッドからの前記インク液を受滴可能となった後に電源遮断処理を行う電源遮断処理部と、
を具備したことを特徴とする画像形成装置。
【請求項２】
前記上下移動駆動部は、前記電源遮断検出部により前記電源遮断の操作指示を検出すると、前記搬送機構の下降動作に応動して前記メンテナンス機構を下降させる、ことを特徴とする請求項１記載の画像形成装置。
【請求項３】
前記上下移動駆動部は、前記メンテナンス機構が備えるインク受滴容器が前記インクヘッドに対向した位置で、前記インクヘッドと、前記メンテナンス機構との鉛直方向における隙間を可変する、ことを特徴とする請求項１記載の画像形成装置。
【請求項４】
前記隙間の可変は、前記メンテナンス機構が備えるインク受滴容器と前記インクヘッドとが対向し且つ所定の距離に離間している位置から、前記インクヘッドに前記インク受滴容器が当接する位置までの可変を含む、ことを特徴とする請求項３記載の画像形成装置。
【請求項５】
前記インク受滴容器は、前記インクヘッドの個数分設けられている、ことを特徴とする請求項１記載の画像形成装置。
【請求項６】
電源を遮断するための操作指示を検出する第１の処理ステップと、
前記メンテナンス機構を前記インクヘッドの下方へ移動させる第２の処理ステップと、
前記メンテナンス機構に備えられたインク受滴容器を前記インクヘッドに対向する位置に移動させる第３の処理ステップと、
前記インク受滴容器が前記インクヘッドに対向し、前記インク受滴容器が前記インクヘッドからの前記インク液を受滴可能となった後に電源の遮断処理を行わせる第４の処理ステップと、
からなる電源遮断時のプログラムを格納するプログラム記憶部を有する、ことを特徴とする請求項１記載の画像形成装置。
【請求項７】
前記第４の処理ステップは、前記メンテナンス機構に備えられたインク受滴容器を前記インクヘッドに対向させた位置で、前記インク受滴容器を前記インクヘッドに当接させる処理を含む、ことを特徴とする請求項６記載の画像形成装置の電源遮断時処理方法。
【請求項８】
インク液を噴射し画像形成媒体に対して画像形成を行うインクヘッドと、前記インクヘッドに隣接して収納され、前記インクヘッドに対してメンテナンス動作を行うメンテナンス機構と、前記画像形成媒体を載置して前記インクヘッドの下方で搬送する搬送機構と、を少なくとも有する画像形成装置の電源遮断時処理方法において、
当該画像形成装置の電源を遮断するための操作指示を検出する第１の工程と、
前記電源遮断の操作指示を検出すると、前記インクヘッドと、前記メンテナンス機構との鉛直方向における隙間を可変させる第２の工程と、
前記メンテナンス機構に備えられたインク受滴容器を前記インクヘッドに対向する位置に移動させる第３の工程と、
前記インク受滴容器が前記インクヘッドに対向し、前記インク受滴容器が前記インクヘッドからの前記インク液を受滴可能となった後に当該画像形成装置の電源の遮断処理を行わせる第４の工程と、を有する、ことを特徴とする画像形成装置の電源遮断時処理方法。
【請求項９】
前記第２の工程は、前記搬送機構を下降させると共に前記メンテナンス機構を下降させる工程を含む、ことを特徴とする請求項８記載の画像形成装置の電源遮断時処理方法。
【請求項１０】
前記第４の工程は、前記メンテナンス機構に備えられたインク受滴容器を前記インクヘッドに対向させた位置で、前記インク受滴容器を前記インクヘッドに当接させる工程を含む、ことを特徴とする請求項８記載の画像形成装置の電源遮断時処理方法。
【手続補正２】
【補正対象書類名】明細書
【補正対象項目名】０００４
【補正方法】変更
【補正の内容】
【０００４】
画像形成媒体の搬送装置は、ベルトプラテンと呼ばれ、例えば画像形成媒体よりも幅
の広い無端のベルトを２つの軸により張設し、ベルト上に画像形成媒体を載せた状態で
いずれか一方の軸を回転駆動することにより画像形成媒体を搬送する。このため、イン
クヘッドの下方には、画像形成媒体を載せるベルトプラテンが在るために、ベルト等に
インク液が滴下してベルトプラテンを汚すおそれがある。ベルトプラテンがインク液で
汚れると、次の画像形成動作時に、ベルト上に載った画像形成媒体がインク液で汚れて
しまう。
そこで本発明は、前述した課題に鑑みてなされたものであり、画像形成装置の電源遮
断後に、画像形成媒体を載せるベルトプラテンのベルト等がインクヘッドからのインク
液の滴下により汚れることを防止する、画像形成装置及びこの装置の電源遮断時処理方
法の提供を目的とする。
【手続補正３】
【補正対象書類名】明細書
【補正対象項目名】０００５
【補正方法】変更
【補正の内容】
【０００５】
前述した目的を達成するために、本発明の画像形成装置は、インク液を噴射し画像形成媒体に対して画像形成を行うインクヘッドと、インクヘッドに隣接して収納され、インクヘッドに対してメンテナンス動作を行うメンテナンス機構と、画像形成媒体を載置してインクヘッドの下方で搬送する搬送機構と、を少なくとも有する画像形成装置において、
当該画像形成装置の電源遮断の操作指示を行うためのスイッチと、スイッチによる電源遮断の操作指示を検出すると、インクヘッドと、メンテナンス機構との鉛直方向における隙間を、少なくともインクヘッドに隣接した位置で可変させる上下移動駆動部と、メンテナンス機構をインクヘッドの下方で水平移動させ、メンテナンス機構が備えるインク受滴容器をインクヘッドに対向させる水平移動駆動部と、インク受滴容器がインクヘッドに対向し、インク受滴容器がインクヘッドからのインク液を受滴可能となった後に電源遮断処理を行う電源遮断処理部と、を具備したことを特徴とする。
【手続補正４】
【補正対象書類名】明細書
【補正対象項目名】０００６
【補正方法】変更
【補正の内容】
【０００６】
また、本発明の画像形成装置の電源遮断処理方法は、インク液を噴射し画像形成媒体に対して画像形成を行うインクヘッドと、インクヘッドに隣接して収納され、インクヘッドに対してメンテナンス動作を行うメンテナンス機構と、画像形成媒体を載置してインクヘッドの下方で搬送する搬送機構と、を少なくとも有する画像形成装置において、当該画像形成装置の電源を遮断するための操作指示を検出する第１の工程と、電源遮断の操作指示を検出すると、インクヘッドと、メンテナンス機構との鉛直方向における隙間を可変させる第２の工程と、メンテナンス機構に備えられたインク受滴容器を前記インクヘッドに対向する位置に移動させる第３の工程と、インク受滴容器がインクヘッドに対向し、インク受滴容器が前記インクヘッドからの前記インク液を受滴可能となった後に当該画像形成装置の電源の遮断処理を行わせる第４の工程と、を有する、ことを特徴とする。